(57)【要約】【課題】扱胴を揺動開放させることによって該扱胴の後部を排塵胴の前部から離間させて排塵室内の清掃や点検を行うことができるものとする。【解決手段】後側板（５）に形成した凹部を固定側後側板（５Ａ）に形成した凸部に嵌め合わせた状態で扱胴（２）を脱穀作業位置に保持できるように構成する。そして、後側板（５）に形成した凹部を固定側後側板（５Ａ）に形成した凸部から離脱させるように扱胴（２）を揺動開放させることによって該扱胴（２）の後部を排塵胴（２２）の前部から離間させて排塵室内の清掃や点検を行うことができるように構成する。【選択図】図５
2005160488.tif 000002
【特許請求の範囲】
【請求項１】
排藁搬送チェン（４０）を開閉可能に構成すると共に、前側板（４）と後側板（５）と側枠（６）とから成る枠組構成部内に扱胴（２）を架設して該扱胴（２）を非作業位置に揺動開放可能に構成するにあたり、前記後側板（５）には排塵胴（２２）の前部を扱胴（２）の後部に接近させられるような凹部を形成すると共に、脱穀装置本体側の固定側後側板（５Ａ）には前記後側板（５）の凹部に対向する凸部を形成して、前記後側板（５）と固定側後側板（５Ａ）との間にロック装置（３８）を備えて該ロック装置（３８）によって前記後側板（５）に形成した凹部を固定側後側板（５Ａ）に形成した凸部に嵌め合わせた状態で扱胴（２）を脱穀作業位置に保持できるように構成する一方、前記ロック装置（３８）のロックを解除して後側板（５）に形成した凹部を固定側後側板（５Ａ）に形成した凸部から離脱させるように扱胴（２）を揺動開放させることによって該扱胴（２）の後部を排塵胴（２２）の前部から離間させて排塵室内の清掃や点検を行うことができるように構成したことを特徴とする脱穀装置。
【発明の詳細な説明】
【技術分野】
【０００１】
この発明は、コンバイン等に設けられる脱穀装置に関するものである。
【背景技術】
【０００２】
従来、この種の脱穀装置において、扱胴を揺動開放することにより、扱室内の清掃や整備の容易化を図るようにした技術は、例えば、特許文献１などによって公知である。
また、特許文献２には、扱胴と排藁搬送チェンとを揺動開放可能に構成した脱穀装置が記載されている。
【０００３】
また、特許文献３には、扱胴と排藁搬送チェンとを揺動開放可能に構成し、扱胴軸に対してフィ−ドチェン側に偏倚して設けたロック装置によって前記扱胴を脱穀作業位置に保持可能に構成した脱穀装置が記載されている。
【特許文献１】実開昭５９−１５０２３１号公報
【特許文献２】特開平３−６５１２０号公報
【特許文献３】実願平１−１１７５２４号（実開平３−５６３３１号）のマイクロフィルム
【発明の開示】
【発明が解決しようとする課題】
【０００４】
上述の特許文献1に記載されたような公知技術においては、扱胴を揺動開放しても、この後側の排藁搬送部は閉塞されたままで容易にメンテナンスを行うことができず、扱室から排藁搬送部に至る脱穀装置全体のメンテナンスを充分に行うことができないという問題があった。
【０００５】
また、上述の特許文献２や３に記載された技術においては、扱胴の揺動開放に加え排藁搬送チェンをも揺動開放できるものの、この揺動開放状態において該排藁搬送チェンとこれに対向する排藁挾持杆とがどのような相対姿勢で離間するものか不明であり、例えば排藁搬送チェンと排藁挾持杆とが互いに平行姿勢を保った状態で離間するものと仮定した場合、排藁搬送チェンと排藁挾持杆との始端部での間隔が大きく離間しにくく、フィ−ドチェンの終端部から排藁搬送チェンの始端部への引継ぎ部に詰っていた排藁を容易に除去することができず、作業能率が低下する欠点がある。
【０００６】
更に上記の公知技術にあっては、扱胴に併設する排塵胴のメンテナンスについて配慮がないものとなっている。
【課題を解決するための手段】
【０００７】
この発明は、上述の如き課題を解決するために、以下のような技術的手段を講じる。
すなわち、排藁搬送チェン（４０）を開閉可能に構成すると共に、前側板（４）と後側板（５）と側枠（６）とから成る枠組構成部内に扱胴（２）を架設して該扱胴（２）を非作業位置に揺動開放可能に構成するにあたり、前記後側板（５）には排塵胴（２２）の前部を扱胴（２）の後部に接近させられるような凹部を形成すると共に、脱穀装置本体側の固定側後側板（５Ａ）には前記後側板（５）の凹部に対向する凸部を形成して、前記後側板（５）と固定側後側板（５Ａ）との間にロック装置（３８）を備えて該ロック装置（３８）によって前記後側板（５）に形成した凹部を固定側後側板（５Ａ）に形成した凸部に嵌め合わせた状態で扱胴（２）を脱穀作業位置に保持できるように構成する一方、前記ロック装置（３８）のロックを解除して後側板（５）に形成した凹部を固定側後側板（５Ａ）に形成した凸部から離脱させるように扱胴（２）を揺動開放させることによって該扱胴（２）の後部を排塵胴（２２）の前部から離間させて排塵室内の清掃や点検を行うことができるように構成したことを特徴とする脱穀装置の構成としたものである。
【発明の効果】
【０００８】
この発明によれば、扱胴２を揺動開放させることによって該扱胴２の後部を排塵胴２２の前部から離間させて排塵室内の清掃や点検を行うことができる。
【発明を実施するための最良の形態】
【０００９】
図例において、扱室３は、前側板４、後側板５、側枠６等によって枠組構成してあり、そして、この扱室３内には機体前後向き軸１芯周りに回転する扱胴２を架設し、該扱室の少なくとも下半周部に沿っては受網７を張設すると共に、スライド着脱自在に構成している。扱室一側にはフィ−ドチェン８を張設すると共に、この上側に対設する挾持レ−ル９とによって穀稈を挾持搬送するように構成している。
【００１０】
そして、かかるフィ−ドチェン８は、チェンレ−ル１０と共に、この始端側に設けた上下方向の支軸１１周りに揺動開閉可能に構成している。１０Ａはチェン支持フレ−ム、１１Ａは機台から突設する支柱であって、扱室の固定側前側板４Ａから突設する支持ステ−１１Ｂによって強固に保持してあり、そして、前記チェン支持フレ−ム１０Ａを前記支軸１１周りに回動自在に装着している。
【００１１】
また、扱室３の上部を覆う扱胴カバ−１２には前記フィ−ドチェン８の挾持レ−ル９を装着してあり、そして、該カバ−１２は前後方向の横軸１３を支点として上下方向に揺動開閉可能に構成している。
【００１２】
前記フィ−ドチェン８への駆動部は、駆動装置１４から回転駆動される伸縮スライド自在にスプライン嵌合されたフィ−ドチェン駆動軸１４ａ，１４ｂとフィ−ドチェン８への駆動スプロケット１５とをユニバ−サルジョイント１６を介して動力伝達可能に連動連結した構成としている。
【００１３】
フィ−ドチェン８を脱穀部前方を揺動支点として開放する場合、刈取搬送チェンや入口漏斗との干渉防止のため、揺動支点をフィ−ドチェンの始端近くに配設する必要があるが、この場合、フィ−ドチェン駆動部と前記揺動支点とがズレることが多く、ギヤ噛合わせ、爪クラッチによる動力伝達が提案されているが、組立上の誤差あるいは撓み等により噛合い不良を発生することが多い。このような不具合は上記ユニバ−サルジョイント１６を介しての動力伝達により解消することができる。
【００１４】
処理室１７は、扱室３のフィ−ドチェン８側とは反対側の側部に並設されていて、この扱室３から送り出される処理物を受け入れてこの軸方向後方に移送しながら処理する処理胴１８を内装軸架している。
【００１５】
また、この処理室１７には処理胴受網１９を張設して脱粒処理された穀粒を下方の選別部に漏下させるように構成している。処理胴受網１９は扱室３側に向けて引き抜くことができるように構成してあり、普段は扱室３の側枠６によって係止保持している。
【００１６】
排塵室２１は、前記処理室１７の終端に至った送塵口２０からの処理物を受け入れて後方へ移送しながら排塵処理するもので、排塵胴２２を内装軸架し、外周適所には排塵胴受網２３を張設している。そして、この排塵室の終端側には排塵口２４を設けている。
【００１７】
扱室３内に供給される穀稈は、扱胴２によって脱穀処理される。扱室３内で発生したワラ屑や未処理粒等の処理物は途中部から処理室１７内へ送られ、処理胴１８によって後方に移送されながら脱粒処理されると共に、更に、これより排塵室２１内へ送られる。そして、排塵室２１内では排塵胴２２によって後方に移送されながら脱粒処理される。各室１７，２１内で脱粒処理された穀粒は各受網１９，２３から下方の選別室に漏下し、ワラ屑などの排塵処理物は排塵口２４から機外に排出される。
【００１８】
そして、前記扱室３は、下方の選別室及び前記処理室１７に対し、扱胴２及び受網７が一体で外開き可能に構成するが、つまり、扱室３の前端側でかつ処理室１７側に位置する機体側フレ−ム２５に設けた縦軸２６を回動支点として左右横方向に揺動開閉するよう構成している。処理室１７と排塵室２１との連通口部付近で扱室を分割構成することにより、該扱室を揺動開放させたとき、作業者は排塵胴部まで体ごと入れることができ排塵室内の残留籾の除去や清掃、点検が容易となる。
【００１９】
前記フィ−ドチェン８の揺動開閉支点１１を前記扱室３の揺動開閉支点２６よりも前方に設定することにより、フィ−ドチェンの開放角度が小さくても扱室の開放角度は大きく取れるため、処理室及び揺動選別棚の掃除、点検が容易である。
【００２０】
扱室３後方の左右側板２７，２８は、横断流ファン２９のケ−シング３０によって連結保持している。
特に、左側板２７は、これと扱室３の固定側後側板５Ａ間にわたって連結する補強フレ−ム３１を介して強固に保持している。
【００２１】
なお、前記扱室の揺動開閉支点は、これを揺動開放するとき、この可動側前側板４の下面が固定側前側板４Ａの上面４ａに常時接した状態で移動すべく関係位置に設定している。
【００２２】
扱室下方の選別室３２には揺動選別棚３３が配置されている。３４は１番揚穀筒で、グレンタンク３５に連通している。３６は２番揚穀筒で、この２番揚穀筒３６は選別部からの２番物を前記処理室１７の前端側に還元してこの処理室内で再処理するように連通してあり、そして、この処理室内で処理されたものは開口部３７から下方の揺動選別棚３３上に戻すように構成している。
【００２３】
３８は扱室の係止ロック機構（ロック装置）、３９は排藁挾持杆、４０は排藁搬送チェンで、これは前記扱胴カバ−１２と一体的となって上下に揺動開閉するよう構成している。
【図面の簡単な説明】
【００２４】
【図１】脱穀機の要部の側面図である。
【図２】脱穀機の要部の正面図である。
【図３】脱穀機要部の一部破断せる正面図である。
【図４】脱穀機要部の扱室揺動開放状態を示す平面図である。
【図５】脱穀機要部の扱室揺動開放状態を示す側面図である。
【図６】脱穀機の要部の側断面図である。
【図７】脱穀機要部の内部の斜視図である。
【図８】脱穀機の扱室要部の斜視図である。
【図９】図６のＳ１−Ｓ１断面図である。
【図１０】図６のＳ２−Ｓ２断面図である。
【図１１】図６のＳ３−Ｓ３断面図である。
【符号の説明】
【００２５】
１    扱胴軸                    ２    扱胴
３    扱室                      ４    前側板
５    後側板                    ６    側枠
７    受網                      ８    フィ−ドチェン
９    挾持レ−ル              １０    チェンレ−ル
１１    支軸                    １２    扱胴カバ−
１３    横軸                    １４    駆動装置
１５    駆動スプロケット        １６    ユニバ−サルジョイント
１７    処理室                  １８    処理胴
１９    処理胴受網              ２０    送塵口
２１    排塵室                  ２２    排塵胴
２３    排塵胴受網              ２４    排塵口
２５    機体側フレ−ム          ２６    縦軸
２７    左側板                  ２８    右側板
２９    横断流ファン            ３０    ケ−シング
３１    補強フレ−ム            ３２    選別室
３３    揺動選別棚              ３４    １番揚穀筒
３５    グレンタンク            ３６    ２番揚穀筒
３７    開口部                  ３８    係止ロック機構（ロック装置）
３９    排藁挾持杆              ４０    排藁搬送チェン
【図１】
2005160488.tif 000003
【図２】
2005160488.tif 000004
【図３】
2005160488.tif 000005
【図４】
2005160488.tif 000006
【図５】
2005160488.tif 000007
【図６】
2005160488.tif 000008
【図７】
2005160488.tif 000009
【図８】
2005160488.tif 000010
【図９】
2005160488.tif 000011
【図１０】
2005160488.tif 000012
【図１１】
2005160488.tif 000013